(57)【要約】【課題】帯鋸を提供する。【解決手段】帯鋸（１）は、１つの歯支持体（２）と、この歯支持体（２）に配置された複数の歯（３）とを有する。この帯鋸（１）は、さらに、歯（３）に対向し、帯背形状化部（５）を備えた帯背（４）を有する。この帯背形状化部（５）は、上り勾配領域（６）、下り勾配領域（７）および均等領域（８）を有する。帯背（４）は、上り勾配領域（６）では、上り勾配領域（６）の終端部（９）への方向で見て、歯（３）までの距離が増加するように形状化されて形成される。帯背（４）は、下り勾配領域（７）では、下り勾配領域（７）の終端部（１０）への方向で見て、歯（３）までの距離が減少するように形状化されて形成される。帯背（４）は、均等領域（８）では、歯（３）までの距離が一定となるように形状化されずに直線として形成される。【選択図】図６Ｂ
2015054394.tif 000002
【特許請求の範囲】
【請求項１】
帯鋸（１）であって、
１つの歯支持体（２）と、
前記歯支持体（２）に配置された複数の歯（３）と、
前記歯（３）に対向し、帯背形状化部（５）を有する帯背（４）と、
を有する帯鋸（１）において、
前記帯背形状化部（５）が、以下の領域、則ち、
上り勾配領域（６）であって、前記帯背（４）が、前記上り勾配領域（６）の終端部への方向で見て、前記歯（３）までの距離が増加するように形状化されて形成される上り勾配領域（６）と、
下り勾配領域（７）であって、前記帯背（４）が、前記下り勾配領域（７）の終端部への方向で見て、前記歯（３）までの距離が減少するように形状化されて形成される下り勾配領域（７）と、
均等領域（８）であって、前記帯背（４）が、前記歯（３）までの距離が一定となるように形状化されずに直線として形成される均等領域（８）と、
を含み、
ａ）前記下り勾配領域（７）が、前記上り勾配領域（６）の終端部に接続して配置され、前記均等領域（８）が、前記下り勾配領域（７）の終端部に接続して配置される、または、
ｂ）前記上り勾配領域（６）が、前記下り勾配領域（７）の終端部に接続して配置され、前記均等領域（８）が、前記上り勾配領域（６）の終端部に接続して配置される、その場合、前記均等領域（８）が、前記上り勾配領域（６）より小さい長さと、前記下り勾配領域（７）より小さい長さとを有する、帯鋸（１）。
【請求項２】
前記均等領域（８）が、前記上り勾配領域（６）と前記下り勾配領域（７）との間に直接配置されることを特徴とする、請求項１に記載の帯鋸（１）。
【請求項３】
前記帯背形状化部（５）が、正確に１つの前記上り勾配領域（６）と、正確に１つの前記下り勾配領域（７）と、正確に１つの前記均等領域（８）とにより形成されることを特徴とする、請求項１または２に記載の帯鋸（１）。
【請求項４】
前記均等領域（８）が、３０ｍｍ〜１５０ｍｍの長さ（ＬＡｕｓｇｌｅｉｃｈ）を有することを特徴とする、請求項１〜３の何れか１項に記載の帯鋸（１）。
【請求項５】
前記帯背形状化部（５）が、特徴ａ）にしたがって形成され、前記均等領域（８）が、前記上り勾配領域（６）より小さい長さ（ＬＡｕｓｇｌｅｉｃｈ）と、前記下り勾配領域（７）より小さい長さ（ＬＡｕｓｇｌｅｉｃｈ）とを有することを特徴とする、請求項１〜４の何れか１項に記載の帯鋸（１）。
【請求項６】
前記均等領域（８）が、前記上り勾配領域（６）の前記長さ（ＬＡｎｓｔｉｅｇ）および前記下り勾配領域（７）の前記長さ（ＬＡｂｓｔｉｅｇ）の最大８５％となる長さ（ＬＡｕｓｇｌｅｉｃｈ）を有することを特徴とする、請求項１〜５の何れか１項に記載の帯鋸（１）。
【請求項７】
前記上り勾配領域（６）が、前記下り勾配領域（７）とは異なる傾斜角（βＡｎｓｔｉｅｇ）と異なる長さ（ＬＡｎｓｔｉｅｇ）とを有することを特徴とする、請求項１〜６の何れか１項に記載の帯鋸（１）。
【請求項８】
前記下り勾配領域（７）が、前記上り勾配領域（６）の少なくとも二倍大きい長さ（ＬＡｂｓｔｉｅｇ）を有する、または、
前記上り勾配領域（６）が、前記下り勾配領域（７）の少なくとも二倍大きい長さ（ＬＡｎｓｔｉｅｇ）を有する、
ことを特徴とする、請求項１〜７の何れか１項に記載の帯鋸（１）。
【請求項９】
前記均等領域（８）が、上り勾配領域（６）および下り勾配領域（７）の小さい方の長さ（ＬＡｎｓｔｉｅｇ、ＬＡｂｓｔｉｅｇ）より小さい長さ（ＬＡｕｓｇｌｅｉｃｈ）を有することを特徴とする、請求項７または８に記載の帯鋸（１）。
【請求項１０】
前記帯鋸（１）が、整数の複数の帯背形状化部（５）を有することを特徴とする、請求項１〜９の何れか１項に記載の帯鋸（１）。
【請求項１１】
前記帯鋸（１）が、異なる長さ（ＬＰｒｏｆｉｌ）の２つの帯背形状化部（５）を有することを特徴とする、請求項１〜１０の何れか１項に記載の帯鋸（１）。
【請求項１２】
前記帯背形状化部（５）が、それによって生じる加工溝が前記帯鋸（１）に沿って延びるように製造されることを特徴とする、請求項１〜１１の何れか１項に記載の帯鋸（１）。
【請求項１３】
前記歯支持体（２）が、前記歯（３）から見てその前記歯（３）側に、形状化されずに形成されることを特徴とする、請求項１〜１２の何れか１項に記載の帯鋸（１）。
【請求項１４】
前記歯（３）が、前記歯支持体（２）に沿って繰り返される群内に配置され、前記群が、
前記群内で最大の幅と最小の高さとを有する１つの表面歯（Ｃ３）と、
前記表面歯より大きい高さと小さい幅とを有する２つの動力歯（Ｃ１、Ｃ２）と、
を有することを特徴とする、請求項１〜１３の何れか１項に記載の帯鋸（１）。
【請求項１５】
最大の高さと最小の幅とを有する前記動力歯（Ｃ１）が、前記群内に一回より多く存在させられ、および／または、
前記表面歯（Ｃ３）が、前記群内に一回より多く存在させられることを特徴とする、請求項１２に記載の帯鋸（１）。
【発明の詳細な説明】
【技術分野】
【０００１】
本発明は、１つの歯支持体と、この歯支持体に配置された複数の歯とを具備する帯鋸に関する。この帯鋸は、歯に対向して、帯背形状化部を有する帯背を有する。
【０００２】
この帯背は、帯鋸の慣例の直線状の帯鋸走行方向には延びておらず、形状化されて形成され、慣例の直線状の帯鋸走行方向に対して異なる角度で延びる複数の領域を有する。
【０００３】
歯支持体および歯底部は、好ましくは金属、特に焼き戻し鋼から構成される。切れ刃および歯の歯先の少なくとも１つの別の部分は、同じく金属、特に合金工具鋼もしくは高速度鋼または例えば硬質合金、サーメット、セラミック切削材もしくはダイヤモンドのような研磨切削材から構成される。これらの材料は、歯支持体の材料より硬く、このことから、帯鋸は、総じて、金属材料の切削にとりわけ適する。この歯は、耐摩耗性の向上につながる硬質膜を備えることもできる。しかし、別の材料、特に木材またはプラスチックも、そのような帯鋸で切削できる。
【背景技術】
【０００４】
現行技術では、一般に、直線状の形状化されない帯背を有する帯鋸が知られ、この帯背は、慣例の直線状の帯鋸走行方向に延びている。このことから、一様な送り速度、常に等しい送り方向および一定の切断力が生じる。切削中、被切削工作物の材料内に冷間歪み硬化領域が生じる。この領域は、そのような帯鋸では切り込むことができない。常に多くの歯が完全に食い込んだ状態になってしまう。このことから、高い切削力、高い摩耗が生じ、それに応じて帯鋸の寿命が短くなる。
【０００５】
特許文献１から、１つの歯支持体と、この歯支持体に配置された複数の歯とを具備する帯鋸が知られている。この歯に対向する帯背は、異なる領域を有する帯背形状化部を有する。この開示で示された多くの実施態様によると、帯背形状化部が波形に形成され、このことから、複数の湾曲面が互いに接続して配置される。例えば図１Ａで良く分かるように、帯背形状化部は、上り勾配領域、それに続くプラトー領域、それに続く下り勾配領域およびそれに続く底領域を有する。これら全ての領域は、湾曲に形成される。上り勾配領域および下り勾配領域は、等しい曲率半径を有する。
【０００６】
特許文献１の図１０Ａに係る別の一実施態様では、直線の上り勾配領域、それに続く直線のプラトー領域、それに続く直線の下り勾配領域およびそれに続く直線の底領域が存在する。上り勾配領域および下り勾配領域は、等しい長さと、数値で等しい傾斜角とを有する。プラトー領域および底領域は、上り勾配領域および下り勾配領域の長さの合計にも相当する等しい長さを有する。
【０００７】
特許文献２から、１つの歯支持体と、この歯支持体に配置された複数の歯とを具備する帯鋸の別の実施態様が知られている。歯に対向して、帯背形状化部を有する帯背が配置される。特に、図６、図１１、図１３および図１５には、帯鋸の異なる実施態様の帯背形状化部の様々な構造が示される。
【０００８】
特許文献３から、１つの歯支持体と、この歯支持体に配置された複数の歯とを具備する帯鋸が知られている。歯に対向して、帯背形状化部を有する帯背が配置される。この帯背形状化部は、下り勾配領域、それに続く上り勾配領域および再びそれに続く下り勾配領域を有する。
【先行技術文献】
【特許文献】
【０００９】
【特許文献１】欧州特許出願公開ドイツ語翻訳第６９７  １７  ６９９（Ｔ２）号
【特許文献２】国際公開第２００６／０１９１２９（Ａ１）号
【特許文献３】仏国特許出願公開第２  ３６９  ０４８（Ａ１）号
【発明の概要】
【発明が解決しようとする課題】
【００１０】
本発明の目的は、切削が困難な工作物の切削に非常に適し、その場合に摩耗が低減する帯鋸を提供することである。
【課題を解決するための手段】
【００１１】
＜解決＞
本発明の目的は、本発明にしたがって、独立請求項の特徴によって解決される。
【００１２】
本発明に係るその他の有利な態様は、従属請求項から明らかになる。
【００１３】
＜発明の記載＞
本発明は、１つの歯支持体と、この歯支持体に配置された複数の歯とを具備する帯鋸に関する。この帯鋸は、さらに、歯に対向して、帯背形状化部を有する帯背を有する。この帯背形状化部は、上り勾配領域、下り勾配領域および均等領域を有する。
【００１４】
帯背は、上り勾配領域では、上り勾配領域の終端部への方向で見て、歯までの距離が増加するように形状化されて形成される。帯背は、下り勾配領域では、下り勾配領域の終端部への方向で見て、歯までの距離が減少するように形状化されて形成される。帯背は、均等領域では、歯までの距離が一定となるように形状化されずに直線として形成される。
【００１５】
第１の代替によると、下り勾配領域は、上り勾配領域の終端部に接続して配置され、均等領域は、下り勾配領域の終端部に接続して配置される。したがって、均等領域は、凹ませて配置された領域である。
【００１６】
第２の代替によると、上り勾配領域は、下り勾配領域の終端部に接続して配置され、均等領域は、上り勾配領域の終端部に接続して配置される。その場合、均等領域は、上り勾配領域より小さい長さと、下り勾配領域より小さい長さとを有する。則ち、均等領域は、持ち上げて配置された領域である。
【００１７】
帯鋸の帯背は、切削時に、慣例の帯鋸走行方向とは異なる様々な運動方向が帯鋸に与えられるように、特別な方法で形状化されて形成される。したがって、帯鋸は、切削時に、時計回りと反時計回りの方向に交互に傾く。この運動は、帯鋸機のガイド部材の、帯鋸の非直線の帯背形状化部との接触から生じる。
【００１８】
この傾斜運動によって、帯鋸の不連続送りと強引な切断挙動とが生じる。切断圧力によって、被切削工作物内に冷間歪み硬化領域が生じるおそれがある。そこで、強引な切断挙動に基づいて、この冷間歪み硬化領域が切り込まれるかまたは削り取られる。その結果、新しい帯背形状化部の切断力が不安定になる。しかし、平均切断力は、直線の帯背を備えた帯鋸の場合より明らかに低減できる。このことから、摩耗が低下する。傾斜運動によって、帯鋸の食い込みの長さは減少し、このことから、同時に食い込む歯はより少なくなり、切断路は短縮され、切断力は低下する。したがって、粗さ値が低減された良好な表面品質と、切削された工作物の良好な直線性とが達成される。
【００１９】
上り勾配領域および下り勾配領域は、帯鋸を逆方向に傾かせ、このことから、傾斜領域とも呼ばれる。それに対して、均等領域は、それ自体はそのような傾きを引き起こさないはずである。この領域は、単独または別の均等領域とではなく、上り勾配領域または下り勾配領域と組み合わせることでのみ作用するように形成および配置される。これは、帯鋸機のガイド部材の１つが均等領域内に、別の１つのガイド部材が同時に上り勾配領域または下り勾配領域内に当接することを表す。このことから、総じて、それぞれの傾斜領域、則ち上り勾配領域または下り勾配領域の傾斜運動が生じる。したがって、均等領域は、上り勾配領域と下り勾配領域とを互いに切り離す。このことから、傾斜運動は、その端部に向けて遅くなる。上り勾配領域と下り勾配領域との間の移行は、中間に接続された均等領域のために緩やかになり、したがって、切削力が急激に上昇することはなくなり、このことから、歯の歪みを低減させることができる。
【００２０】
均等領域によって、上り勾配領域の最高位置と下り勾配領域の最低位置との間の高さの差を広げることなく、帯鋸の傾斜運動の効果は向上する。帯鋸の脆弱性がさらに低減されたことによって、帯鋸の壊れる危険が低下する。
【００２１】
均等領域または切り離し領域は、凹んだ領域、則ち、帯鋸の歯のより近くに配置される領域として形成される。もっとも、代替で、持ち上がった領域でもよい。しかし、これら２つの領域、則ち、凹んだ領域または持ち上がった領域の１つのみが常に存在する。このことから、常に１つの傾斜領域が有効であり、則ち、帯鋸機のガイド部材と接触していて、このことから、所望の傾斜運動が実現されることが保証される。２つの非傾斜領域が同時に有効になると、傾斜運動は続行しないであろう。
【００２２】
好ましい一実施態様では、帯背形状化部は、正確に３つの前述の部分、則ち、上り勾配領域、下り勾配領域および均等領域のみを有する。これらの部分は、上り勾配領域−下り勾配領域−均等領域の順かまたは上り勾配領域−均等領域−下り勾配領域の順に互いに接続して配置され、その後、再び同じ領域を有する次の帯背形状化部が接続する。
【００２３】
均等領域は、好ましくは直線として形成される。しかし、これは、非常に大きい半径の湾曲面として形成することもできる。上り勾配領域および下り勾配領域も、好ましくは直線として形成されるが、非常に大きい半径の湾曲面として形成することもできる。これらの領域は、本質的には直接互いに接続し、その場合、それらの間に短い直線部分または比較的大きな半径の短い湾曲部分を配置させることもできる。
【００２４】
均等領域は、およそ３０ｍｍより大きい長さを有することができる。このことから、均等領域が、帯鋸機の慣例のガイド部材において、上り勾配領域と下り勾配領域との間でその緩衝機能をもたらすことが保証される。単独ローラとして形成されるガイド部材の慣例の直径は、およそ３０ｍｍである。複ローラとして形成される慣例のガイド部材では、複ローラにより形成されるローラ体の幅は、およそ７０ｍｍである。
【００２５】
均等領域の長さは、特におよそ５０ｍｍ、６０ｍｍ、８０ｍｍまたは１００ｍｍより大きくなることができる。この場合、長さは、特に、およそ１５０ｍｍより小さく、特におよそ１２０ｍｍより小さい。この長さは、およそ６０ｍｍ〜１００ｍｍまたはおよそ７０ｍｍ〜９０ｍｍ、特におよそ８０ｍｍとなることができる。
【００２６】
上り勾配領域は、下り勾配領域とは別の数値での傾斜角を有することができる。このことから、上り勾配領域と下り勾配領域とが帯鋸機のそれぞれのガイド部材と同時に係合している場合には、慣例の帯鋸走行方向に対して傾いた帯鋸の運動方向も生じる。この構造は、非対称形状化とも呼ばれる。しかし、上り勾配領域と下り勾配領域とが数値で一致する傾斜角を有する対称形状化を実現することも同じく可能である。
【００２７】
上り勾配領域および下り勾配領域は、それぞれ（慣例の直線状の帯鋸走行方向に相当する）水平に対して、ある角度で配置され、その値は、およそ２°より小さい。この角度は、特におよそ０．１°〜１．０°となることができる。非対称形状化では、２つの角度の値の差は、およそ０．２°〜０．９°である。上り勾配領域は、およそ１．０°以下の角度を有することができる。すると、下り勾配領域は、およそ０．４°以下の角度を有する。この構造によって、一方では、所望の傾斜運動が達せられることが確実となり、他方では、均等にされた均等領域とそれぞれの傾斜領域との間の移行が急激過ぎず、このことから、切削時の急激な歪みを招かないことが保証される。
【００２８】
下り勾配領域は、上り勾配領域より少なくとも二倍大きい長さを有することができる。それに応じてこれは、上り勾配領域より数値で小さい傾斜角を有する。このようにして、帯背形状化部の非対称形状化が良好に実現される。
【００２９】
帯鋸は、整数で複数の帯背形状化部を有することができる。このことから、帯鋸が帯鋸機内を循環する場合に、帯背形状化部によって決められた部分運動から構成される規則的な全運動が生じる。帯背形状化部の大きさは、帯鋸の長さに沿って整数の帯背形状化部が配置できるように決められる。それぞれの帯鋸の長さに適合させるために、帯背形状化部の長さは変えられる。帯鋸の長さは、好ましくは、帯背形状化部の長さの整数倍である。全ての帯背形状化部が等しく形成される場合には、これは、固定分割と呼ばれる。
【００３０】
しかし、帯鋸が異なる長さの少なくとも２つの帯背形状化部を有する可変分割にすることが、同じく可能である。この可変分割は、様々な方法で実現でき、これは、特に、それぞれ比較的長い傾斜領域、則ち上り勾配領域または下り勾配領域の長さを延長または短縮することによって行われる。
【００３１】
帯背形状化部は、それによって生じる加工溝が帯鋸に沿って延びるように製造できる。則ち、この溝は、慣例の非傾斜帯鋸走行方向に平行に延びる。このことから、帯鋸の破壊の危険は、著しく低減される。帯背形状化部は、特にフライス削りまたは研削によって製造できる。
【００３２】
帯背形状化部の異なる領域間の移行は、切り欠き脆性を低下させ、帯鋸をより柔軟に走行させ、耐久試験特性を総じて改善するために、比較的大きな半径、特におよそ５０ｍｍ以上の半径によって行われる。このことから、切削時の騒音放出も、大幅に低減される。
【００３３】
歯支持体は、歯から見てその歯側に、形状化されずに形成できる。言い換えると、歯側は、特に形状化して形成されるのではなく、その基本形態に関して慣例の直線状の構造を有する。
【００３４】
歯は、歯支持体に沿って繰り返される群内に配置され、その場合、この群は、以下のもの、則ち、この群内で最大の幅と最小の高さとを有する表面歯Ｃ３と、この表面歯Ｃ３より大きな高さと小さな幅とを有する２つの動力歯Ｃ１、Ｃ２とを有する。
【００３５】
その場合、最大の高さと最小の幅とを有する動力歯Ｃ１は、この群内に一回より多く存在させられ、および／または、表面歯Ｃ３は、この群内に一回より多く存在させられる。特に、この群は、動力歯Ｃ１を二回、表面歯Ｃ３を二回および動力歯Ｃ２を一回のみ、特にＣ１−Ｃ３−Ｃ１−Ｃ２−Ｃ３の順で有することができる。この特別な形は、帯背形状化部の新しい態様に適合している。
【００３６】
現行技術から知られている慣例の歯群が、新しい帯背形状化部を有する帯鋸で使用される場合には、歯Ｃ１およびＣ３が、特に強く切削に関与し、それに応じてより早く摩耗することが示された。それに対して、歯Ｃ２は、切削にわずかに関与するだけである。上述の新しい５歯形は、歯Ｃ１およびＣ３を増やして配置されるもので、このことから、摩耗を著しく低減させ、帯鋸の寿命を著しく向上させることを可能にする。
【００３７】
歯の少なくとも一部は、およそ１０°以上、特におよそ１２°以上のすくい角および／またはおよそ１８°以上、特におよそ２０°以上の逃げ角を有する。このことから、切断溝が細長くなり、それによってより活動的になる。このことから、切断力は低減され、被切削工作物の材料の冷間歪み硬化に対抗できるようになる。すくい角を拡大することによって、切削変形加工が少なく済む。逃げ角を拡大することによって、切削プロセスにおける摩擦力が低減される。
【発明の効果】
【００３８】
切削が困難な工作物の切削に非常に適し、その場合に摩耗が低減する帯鋸が得られる。
【図面の簡単な説明】
【００３９】
【図１】新しい帯鋸の第１の模範的実施態様の第１側面図を示す。
【図２】比較的小さい縮尺で示した、図１に係る帯鋸の第２側面図を示す。
【図３】切り離された図で示した、図１に係る帯鋸の第３側面図を示す。
【図４】新しい帯鋸の第２の模範的実施態様の第１側面図を示す。
【図５】比較的小さい縮尺で示した、図４に係る帯鋸の第２側面図を示す。
【図６Ａ】帯鋸機のガイド部材にある新しい帯鋸の異なる位置を示した図を示す。
【図６Ｂ】帯鋸機のガイド部材にある新しい帯鋸の異なる位置を示した図を示す。
【図６Ｃ】帯鋸機のガイド部材にある新しい帯鋸の異なる位置を示した図を示す。
【図６Ｄ】帯鋸機のガイド部材にある新しい帯鋸の異なる位置を示した図を示す。
【図６Ｅ】帯鋸機のガイド部材にある新しい帯鋸の異なる位置を示した図を示す。
【図７Ａ】帯鋸機のガイド部材にある新しい帯鋸の異なる位置を示した図を示す。
【図７Ｂ】帯鋸機のガイド部材にある新しい帯鋸の異なる位置を示した図を示す。
【図７Ｃ】帯鋸機のガイド部材にある新しい帯鋸の異なる位置を示した図を示す。
【図７Ｄ】帯鋸機のガイド部材にある新しい帯鋸の異なる位置を示した図を示す。
【図７Ｅ】帯鋸機のガイド部材にある新しい帯鋸の異なる位置を示した図を示す。
【図８】帯鋸機のガイド部材にある新しい帯鋸の１つの位置を示した図を示す。
【図９】帯鋸機のガイド部材にある新しい帯鋸の１つの位置を示した図を示す。
【図１０】新しい帯鋸の別の模範的実施態様の第１側面図を示す。
【図１１】比較的小さい縮尺で示した、図１０に係る帯鋸の第２側面図を示す。
【図１２】帯鋸走行方向に投影した新しい帯鋸の関連図を示す。
【発明を実施するための形態】
【００４０】
本発明の有利な発展態様は、特許請求項、明細書および図面から明らかになる。明細書に挙げられた特徴および複数の特徴の組合せの長所は、具体例としてのものであるに過ぎず、本発明の実施態様から無理矢理長所を引き出すことなく、代替または相乗的に効果を現すことができる。このことから、添付された特許請求項の対象を変更することなく、元の出願資料および本特許の開示内容に関して、次のこと、則ち、更なる特徴は、図面、特に、表示された形状および複数の部材の相対寸法ならびにそれらの相対配置および作用の結び付きから明らかになることが認められる。本発明の異なる実施態様の特徴または異なる特許請求項の特徴の組合せは、同じく、特許請求項の選択された引用から外れることもでき、ここに提案される。これは、別の図面に示されるかまたはその説明で挙げられる特徴にも該当する。これらの特徴は、異なる特許請求項の特徴と組み合わせることもできる。同じく、特許請求項に挙げられた、本発明の別の実施態様に関する特徴は、省略できる。
【００４１】
特許請求項および明細書に挙げられた特徴は、その数に関して、「少なくとも」という副詞を明白に使用しなくても、正確にこの数または挙げられた数より大きい数のことであると理解される。例えば、１つの帯背形状化部が問題になる場合、これは、正確に１つの帯背形状化部、２つの帯背形状化部またはそれ以上の帯背形状化部のことであると理解される。これらの特徴は、別の特徴によって補足されるかまたは、それぞれの製品を構成する唯一の特徴となり得る。
【００４２】
特許請求項に含まれる参照符号は、この特許請求項によって保護される対象の範囲を限定するものではない。それらは、この特許請求項を容易に理解できるようにする目的のためにのみ使用される。
【００４３】
以下に、本発明を、図面に示した好ましい例に基づいてさらに詳しく説明する。
【００４４】
図１〜図１２は、新しい帯鋸１の模範的な一実施態様の異なる部分図を示す。
【００４５】
これらの図は、縮尺に従ったものであり、このことから、帯鋸１の個々の構成要素間の形状関係が図から明らかになる。これは、図１〜図１１に示した帯背形状化部に、条件付で適用される。これは、帯背の形状化をより良く認識するために、図面に示した方向に、帯鋸進行方向に対して垂直（則ち、慣例のＹ方向）に縮尺１５：１に拡大して示される。この拡大は、帯背の投影領域にのみ該当し、したがって、帯背の最低位置と歯との間の距離には該当しない。
【００４６】
図１は、細長い帯鋸１からの一部分を示し、このことは、図１の図の左と右の領域の対応する破断線によって分かる。帯鋸１は、歯支持体２と、この歯支持体２に配置された複数の歯３とを有する。帯鋸１は、さらに、歯３に対向する、帯背形状化部５を有する帯背４を有する。
【００４７】
帯背形状化部５は、上り勾配領域６を有する。この上り勾配領域６では、帯背４は、歯３までのその距離が増加するように形状化されて形成される。帯背形状化部５は、さらに、上り勾配領域６の上方端部９に接続する下り勾配領域７を有する。この下り勾配領域７では、帯背４は、歯３までのその距離が減少するように形状化されて形成される。それから、下り勾配領域７の下方端部１０に均等領域８が接続する。この均等領域８では、帯背４は、歯３までのその距離が一定となるよう形状化されずに直線として形成される。
【００４８】
その場合、均等領域８は、その端部１１まで、直線の帯背を備えた帯鋸の慣例の直線状の帯鋸走行方向に対応する方向に延びる。それに対して、上り勾配領域６は、慣例の帯鋸走行方向に対して傾斜角βＡｎｓｔｉｅｇ傾けて配置される。下り勾配領域７は、直線の帯鋸走行方向に対して角度βＡｂｓｔｉｅｇ傾けて配置される。上述した部分的な拡大のことを顧慮すると、これらの角度は、実際にはこれより大幅に小さい。
【００４９】
図１に示される例は、傾斜角βＡｎｓｔｉｅｇが傾斜角βＡｂｓｔｉｅｇより数値では明らかに大きな値となる非対称の形状化に関する。それに対応して、通常の帯鋸走行方向に平行に測定された下り勾配領域７の長さも、上り勾配領域６の対応する長さより遙かに大きい。それより更に小さい長さを、均等領域８が有する。
【００５０】
図２は、図１に係る帯鋸１の第１例の別の図を示し、ここでは、２つの形状化部５が完全に示されるように縮尺が選択された。
【００５１】
図３は、図１に係る帯鋸１の第１例の別の図を示し、ここでは、部分的に分断した図が使用され、このことから、２より多い形状化部５が帯鋸１の長さに沿って配置されることが明らかになる。
【００５２】
以下の表に、この例の対応する値をまとめて挙げる。
＜例１＞
【００５３】
【表１】
2015054394.tif 000003
【００５４】
図４および図５は、新しい帯鋸１の第２の模範的実施態様の、図１および図２に対応する図を示す。この場合、帯背４は、対称に形状化された帯背形状化部５を有する。これは、上り勾配領域６と下り勾配領域７とが、等しい長さと値が一致する傾斜角とを有することを表す。
【００５５】
以下の表に、この例の対応する値をまとめて挙げる。
＜例２＞
【００５６】
【表２】
2015054394.tif 000004
【００５７】
図６Ａ〜図６Ｅは、帯鋸機内の帯鋸１の新式運動を示す。この帯鋸機は、それ自体は慣例に構成され、したがって、詳細な図面や説明は必要ではない。この場合、帯鋸１は、対称に形状化された帯背形状化部５を有する。均等領域８は、凹んだ領域である。
【００５８】
帯鋸機は、ここでは、それぞれ単独ローラ１３として形成されるガイド部材１２を有する。このガイド部材１２を介して、帯背４およびそれに関連して帯鋸１は、被切削工作物（示されていない）の領域に搬送される。この場合、被切削工作物は、ガイド部材１２間に存在する。ここで、図６に示される帯鋸１は、右へ移動し、その場合、形状化無しの帯鋸の場合の慣例の帯鋸走行方向は、一点鎖線によって明らかになる。
【００５９】
ガイド部材１２が形状化帯背４と接触することによって、帯鋸１の非直線の帯鋸走行方向が生じる。
【００６０】
図６Ａに示される位置では、左のガイド部材１２が上り勾配領域６に、右のガイド部材１２が下り勾配領域７の領域に存在する。ここでは、両ガイド部材１２がそれぞれ領域６、７の、歯３までの距離が等しい部分と接触する特別な位置が示される。このことから、帯鋸１が慣例の帯鋸走行方向に対して傾いていないという特殊性が生じる。
【００６１】
図６Ｂには、帯鋸１の更なる運動の範囲で、それに続く傾いた位置が示される。左のガイド部材１２は、下り勾配領域７の開始部に存在する。右のガイド部材１２は、次の帯背形状化部５の上り勾配領域６の開始部に存在する。右のガイド部材１２が存在する上り勾配領域６の領域の帯背４が、左のガイド部材１２が存在する別の領域に比べて歯３までの距離が短いかまたはより低い位置に配置されるために、帯鋸１が反時計回りに偏向または傾倒する。
【００６２】
この傾倒位置は、基本的には保持されるが、図６Ｃに示される位置に達するまで弱まる。ここでは、左のガイド部材１２は、下り勾配領域７のほぼ中央領域に存在し、右のガイド部材１２は、次の上り勾配領域６のほぼ中央領域に存在する。この位置は、反時計回りに傾倒した位置の終端部を表す。歯３は、（等しい高さである限りは）全てが一点鎖線まで等しい距離にある。
【００６３】
帯鋸１の更なる運動では、時計回りに傾倒した位置が生じ、その最大は図６Ｄに示される。この場合、左のガイド部材１２は、均等領域８に存在する。右のガイド部材１２は、次の上り勾配領域６の終端部に存在する。
【００６４】
帯鋸１の続く運動では、この時計回りに傾倒した位置は、基本的には保持されるが、図６Ｅに示されるように弱まる。ここでは、左のガイド部材１２は、均等領域８に存在し、右のガイド部材１２は、次の下り勾配領域７の開始部に存在する。
【００６５】
帯鋸１の続く運動では、その後、サイクルが完了し、再び図６Ａに示される位置に達する。続いて次のサイクルが開始する。
【００６６】
図７Ａ〜図７Ｅは、帯鋸機内の帯鋸１の別の模範的実施態様の新式運動を示す。この場合、帯鋸１は、非対称に形状化された帯背形状化部５を備えた帯背４を有する。均等領域８は、ここでも凹んだ領域である。ガイド部材１２は、ここでもそれぞれ単独ローラ１３として形成される。
【００６７】
図７Ａに示される位置では、左のガイド部材１２は、上り勾配領域６のほぼ中央で帯鋸１の帯背４に接触する。右のガイド部材１２は、下り勾配領域７のほぼ中央で接触する。このことから、総じて、帯鋸１の非傾倒の位置が生じる。
【００６８】
帯鋸１の右への更なる運動では、その後、帯鋸１の反時計回りの傾倒が起こる。最大傾倒位置を、図７Ｂに示す。この場合、左のガイド部材１２は、下り勾配領域７に接触し、右のガイド部材１２は、均等領域８に接触する。
【００６９】
帯鋸１の右への更なる運動では、その後、反時計回りに傾倒した位置が、さらに、図７Ｃに示されるように、均等化位置に達するまで戻される。この場合、左のガイド部材１２は、下り勾配領域７のほぼ中央に存在し、右のガイド部材１２は、次の上り勾配領域６のほぼ中央に存在する。
【００７０】
帯鋸１の更なる運動では、その後、時計回りの傾倒が達せられる。最大傾倒位置を、図７Ｄに示す。この場合、左のガイド部材１２は、下り勾配領域７に存在し、右のガイド部材１２は、次の上り勾配領域６の上方終端部に存在する。
【００７１】
帯鋸１の右への更なる運動では、その後、傾倒位置が戻され、このことから、特に図７Ｅに示される位置がとられる。この場合、左のガイド部材１２は、均等領域８に存在し、右のガイド部材１２は、下り勾配領域７に存在する。
【００７２】
帯鋸１の続く運動では、その後、サイクルが完了し、再び図７Ａに示される位置に達する。続いて次のサイクルが開始する。
【００７３】
新しい帯鋸１の、ここでは示されない別の例では、非対称の帯背形状化部５は、全長が異なり、上り勾配領域６および下り勾配領域７は、それぞれ長さが異なる。それ以外の構造も、帯鋸の長さに同じく適合させることができる。
【００７４】
以下の表に、この例の対応する値をまとめて挙げる。
＜例３＞
【００７５】
【表３】
2015054394.tif 000005
【００７６】
図８に、非対称に形状化された帯鋸１を示す。これは、ここでは詳しく示されない、複ローラ１４として形成されたガイド部材１２を備えた帯鋸機内に配置される。示される位置では、左の複ローラ１４は、下り勾配領域７の開始部と接触している。右の複ローラ１４は、右側の次の上り勾配領域６の開始部と接触し、このことから、総じて、反時計回りに傾倒した位置が生じる。
【００７７】
図９に示される帯鋸１は、非対称に形状化された帯背形状化部５を有する。示される位置では、左の複ローラ１４は、下り勾配領域７の開始部に存在し、右の複ローラ１４は、続く均等領域８に存在する。
【００７８】
図１０および図１１に示される帯鋸１は、これもまた非対称に形状化された帯背形状化部５を有する。しかし、この場合、均等領域８は、凹んだ領域としてではなく、持ち上がった領域として形成される。したがって、これは、上り勾配領域６の終端部９に接続する。この実施態様を用いても、帯鋸１の所望の交互の傾倒運動が達せられる。
【００７９】
図１２は、通常の直線状の帯鋸走行方向に投影した、帯鋸１の歯３の模範的構造を示す。帯鋸１の長さに沿って複数回存在する歯群が示される。
【００８０】
この歯群は、最大の高さと最小の幅とを有する動力歯Ｃ１を有する。この動力歯Ｃ１は、この群内に二回含まれ、ここでは、投影で後側にある動力歯Ｃ１は、図に示される前側にある動力歯Ｃ１によって覆い隠されるために認識されない。前側の動力歯Ｃ１の後方には、表面歯Ｃ３が配置される。これは、群内で最大の幅と最小の高さとを有する。次に、別の動力歯Ｃ１が続く。歯３の二倍の高さと二倍の幅とを有する別の動力歯Ｃ２がそれに続く。その後、新たに、群内に二回含まれる表面歯Ｃ３が続き、ここでは、投影で後側にある表面歯Ｃ３は、図に示される前側にある表面歯Ｃ３によって覆い隠されるために認識されない。
【００８１】
このことから、総じて、Ｃ１−Ｃ３−Ｃ１−Ｃ２−Ｃ３の歯の順序が生じる。この歯の順序は、帯鋸１の長さに沿って繰り返して配置される。
【００８２】
図１２で、さらに明らかになるように、歯３は、面取りされた、目立て無しの歯３として形成される。斜角は、ここでは４５°であるが、別の値を有することもできる。しかし、歯３を斜角無しに形成してもよい。
【００８３】
帯鋸１の歯３および歯群のその他の構造および配置も可能であると理解される。
【符号の説明】
【００８４】
１    帯鋸
２    歯支持体
３    歯
４    帯背
５    帯背形状化部
６    上り勾配領域
７    下り勾配領域
８    均等領域
９    終端部
１０  終端部
１１  終端部
１２  ガイド部材
１３  単独ローラ
１４  複ローラ
【図１】
2015054394.tif 000006
【図２】
2015054394.tif 000007
【図３】
2015054394.tif 000008
【図４】
2015054394.tif 000009
【図５】
2015054394.tif 000010
【図６Ａ】
2015054394.tif 000011
【図６Ｂ】
2015054394.tif 000012
【図６Ｃ】
2015054394.tif 000013
【図６Ｄ】
2015054394.tif 000014
【図６Ｅ】
2015054394.tif 000015
【図７Ａ】
2015054394.tif 000016
【図７Ｂ】
2015054394.tif 000017
【図７Ｃ】
2015054394.tif 000018
【図７Ｄ】
2015054394.tif 000019
【図７Ｅ】
2015054394.tif 000020
【図８】
2015054394.tif 000021
【図９】
2015054394.tif 000022
【図１０】
2015054394.tif 000023
【図１１】
2015054394.tif 000024
【図１２】
2015054394.tif 000025